(57)【要約】【課題】本発明は、歯科用診察処置具による歯周診察あるいは処置を歯周部の診察および処置部の映像を介して診察および処置することのできるカメラ付き歯周診察処置具の提供を目的とする。【解決手段】グリップ部２の探針部３に超小型カメラ４としてのカメラユニット４０を添設するとともにカメラユニット４０の信号ケーブル４６はグリップ部２のコネクタ９と中空部１１の接続ケーブル１２およびグリップ部２の接続部１４に接続された外部信号ケーブル１３を介して駆動制御ユニットに接続され、当該駆動制御ユニットの画像表示部に表示される歯周部位の映像を介して探針部３による所要の診察を行うことができる。【選択図】図１
2014128340.tif 000002
【特許請求の範囲】
【請求項１】
歯周診察処置具に備える診察または処置具による診察または処置を、超小型カメラによる歯周部の診察または処置部の映像を介して、診察または処置をすることができるように構成したことを特徴とするカメラ付き歯周診察処置具。
【請求項２】
歯周診察処置具に備える診察または処置具による診察または処置を、前記診察または処置具に添設した超小型カメラによる歯周部の診察または処置部の映像を介して、診察または処置をすることができるように構成したことを特徴とするカメラ付き歯周診察処置具。
【請求項３】
前記超小型カメラによる歯周部の診察または処置部の映像は、超小型カメラに備える表示部に表示される映像であることを特徴とする請求項１または２記載のカメラ付き歯周診察処置具。
【請求項４】
前記超小型カメラに備える表示部に表示される映像は、等倍あるいは等倍乃至所要の拡大倍率による拡大映像であることを特徴とする請求項３記載のカメラ付き歯周診察処置具。
【請求項５】
歯周診察処置具に備える診察または処置具に超小型カメラを添設するとともに当該診察または処置具による歯周部の診察または処置部にエアを噴出するエア噴出手段を添設することにより構成したことを特徴とするカメラ付き歯周診察処置具。
【請求項６】
歯周診察処置具に備える診察または処置具に超小型カメラを添設するとともに当該診察または処置具による歯周部の診察または処置部を照明する照明手段を添設することにより構成したことを特徴とするカメラ付き歯周診察処置具。
【請求項７】
歯周診察処置具に備える診察または処置具に超小型カメラを添設するとともに当該診察または処置具による歯周部の診察または処置部を照明する照明手段を添設し、さらに前記歯周部の診察または処置部にエアを噴射するエア噴射手段を添設することにより構成したことを特徴とするカメラ付き歯周診察処置具。
【請求項８】
前記超小型カメラは、カメラユニットまたはカラーカメラモジュールを使用することにより構成したことを特徴とする請求項１，２，５〜７記載のカメラ付き歯周診察処置具。
【請求項９】
前記超小型カメラによる歯周部の診察または処置部の映像上の視野の拡大率は等倍あるいは等倍乃至所要の拡大率まで拡大することができるように構成したことを特徴とする請求項１，２，５〜７記載のカメラ付き歯周診察処置具。
【請求項１０】
前記歯周診察処置具に備える診察具は、歯科用探針または歯周ポケット探針の探針（作業部）であることを特徴とする請求項１，２，５〜７記載のカメラ付き歯周診察処置具。
【請求項１１】
前記歯周診察処置具に備える処置具は、歯科用スケーラのスケーラ部または歯科用貼薬針の貼薬針であることを特徴とする請求項１，２，５〜７記載のカメラ付き歯周診察処置具。
【請求項１２】
歯周診察処置具に備える診察具に超小型カメラを添設するとともに前記診察具を光照射部材にて形成し、さらに当該診察具自体を発光するための照明手段を備えることにより前記歯周診察処置具の診察具による歯周部の診察を、
前記診察具自体の発光による照射にて診察部位を直接照射しつつ前記超小型カメラによる映像を介して診察することができるように構成したことを特徴とするカメラ付き歯周診察処置具。
【請求項１３】
歯周診察処置具に備える診察具に超小型カメラを添設するとともに前記診察具による歯周部の診察部にエアを噴出するエア噴出手段を添設し、
かつ前記診察具を光照射部材にて形成し、さらに当該診察具自体を発光するための照明手段を備えることにより前記歯周診察処置具の診察具による歯周部の診察を、
前記エア噴出と前記診察具自体の発光による照射にて診察部位を直接照射しつつ前記超小型カメラによる映像を介して診察することができるように構成したことを特徴とするカメラ付き歯周診察処置具。
【請求項１４】
前記超小型カメラは、カメラユニットまたはカラーカメラモジュールを使用することにより構成したことを特徴とする請求項１２または１３記載のカメラ付き歯周診察処置具。
【請求項１５】
前記歯周診察処置具に備える診察具は、歯科用探針または歯周ポケット探針の探針（作業部）であることを特徴とする請求項１２または１３記載のカメラ付き歯周診察処置具。
【請求項１６】
前記超小型カメラによる歯周部の診察または処置部の映像上の視野の拡大率は等倍あるいは等倍乃至所要の拡大率まで拡大することができるように構成したことを特徴とする請求項１２〜１５記載のカメラ付き歯周診察処置具。
【発明の詳細な説明】
【技術分野】
【０００１】
本発明は、歯周の一般的な診察あるいは歯周疾患の進行を観察するとともに口腔内清掃および歯周治療時に歯の表面から歯石等の沈着物を除去したり歯周ポケット内の貼薬を行うのに用いる手用器具である歯周診察処置具に関するもので、特に当該歯周診察処置具による診察および処置を歯周部の診察および処置部の映像を介して診察および処置をすることができるカメラ付き歯周診察処置具である。
【０００２】
歯周疾患は、歯肉炎が進行して炎症が歯肉の深部に波及すると歯肉組織が破壊され、歯肉と歯牙との間に歯周ポケットという溝が形成される。この歯周疾患の治療のためには歯周ポケットの深さや歯肉炎の進行状態を知る必要がある。このために従来から棒状の金具からなる把持部の先端に、くの字状に曲折したステンレス等の硬質金属からなる探針部が取り付けられた構成の歯周ポケットの深さ測定用プローブが用いられている。 
【０００３】
このプローブは、探針部にその先端部から一定間隔の目盛りが付されており、歯周ポケット内に探針部を挿入した際に目盛りを読み取ることで歯周ポケットの深さを測定することができるようになっている。またこの歯周ポケットの診断は、開業医の日常臨床において患者の約６割が健康保険の診察として義務付けられている頻度の高い医療行為であり、日常の診療では有用性が極めて高いものである。
【０００４】
しかるに、歯周ポケットの深さを測定する従来の技術として特許文献１に示される深さ測定器の発明が公知となっている。この発明は、筒状の目盛りカバー内に配されかつ光源に接続されたウエッジプリズム及び複数本の投光用ファイバを介して歯周ポケットの底面に投光し、その反射光をウエッジプリズム及び複数の受光用ファイバを介して受光し、その受光量を予め測定しておいた最大受光量や、隣り合う受光用ファイバの受光量と比較して空間の深さを非接触で測定するというものである。
【先行技術文献】
【特許文献】
【０００５】
【特許文献１】特許第３０１９８５７号公報
【発明の概要】
【発明が解決しようとする課題】
【０００６】
前記特許文献１に示された従来の発明は、歯周ポケットの底面に投光した際の反射光の量を検知することにより歯周ポケットの深さを非接触で測定できるものではあるが、光の反射は歯周ポケット内の環境で大きく影響され、常に正確に測定することが困難である。更に目盛りカバーを歯周ポケット内に挿入したときにぶれないように保持することは術者にとっては熟練を要し、操作が容易でないなどの問題がある。また歯周ポケット内に水もしくはエアを噴射することがあるが、噴射量や詳細な作動方法が記載されていない。更に、歯周ポケット内にエアを噴射する際に、歯肉の軟組織内に気泡が発生することが想定されるが、これを防止する対策も記載されていない。
【０００７】
そこで本願出願人は、前記特許文献１記載の発明における欠点を除去し、歯牙とその周囲の歯肉との間に生じる歯周ポケットの深さを、患者に苦痛を与えることなく測定し、更に歯周ポケット内における歯根面の歯石や異物の存在、及びその付着位置などを目視で確認することのできる歯科用プローブを特願２０１１−１５２３７１にて提案したところであります。
【０００８】
前記発明の歯科用プローブは、患部に触診可能な探針部とグリップ部とを備えた歯科用プローブにおいて、後端部にエア供給管路が接続されかつ先端部にエア噴射口を有するノズル部を前記探針部の軸方向に添って設けたことを特徴とするものである。
【０００９】
そして前記歯科用プローブは、探針部に添ってエア噴射ノズルを設けたことにより歯周ポケットに対して噴射する気流にコアンダ効果が得られ、または中空の探針部先端からエアを噴射するなどにより、噴射エアで歯周ポケットを開くことができ、しかも噴射エアの圧力を制御しかつエアの温度を体温に近似した温度に制御して噴射することにより、患者に苦痛を与えることなく歯周ポケットの深さ測定ができ、また歯周ポケット内における歯根面の歯石や異物の存在、及びその付着位置などを目視で確認することが可能になる。また、歯石や異物の有無をあらかじめ目視にて確認可能になるため、歯周ポケット内の障害物を避けて正確な歯周ポケットの深さを探針にて測定することが可能になるというものである。
【００１０】
そこで本発明は、前記先願の発明における歯科用プローブの発明に加えて歯周診察にとどまらず適切な処置を遂行することのできる歯周診察処置具の提供を目的とするもので、特に歯周診察あるいは処置に当たり、歯周部の診察および処置部の映像を介して歯周診察あるいは処置することができるカメラ付き歯周診察処置具の提供を目的とするものである。
【課題を解決するための手段】
【００１１】
前記課題を解決する本発明の請求項１は、歯周診察処置具に備える診察または処置具による診察または処置を、超小型カメラによる歯周部の診察または処置部の映像を介して、診察または処置をすることができるように構成したことを特徴とする。
【００１２】
請求項２は、歯周診察処置具に備える診察または処置具による診察または処置を、前記診察または処置具に添設した超小型カメラによる歯周部の診察または処置部の映像を介して、診察または処置をすることができるように構成したことを特徴とする。
【００１３】
請求項３は、請求項１または２記載のカメラ付き歯周診察処置具において、前記超小型カメラによる歯周部の診察または処置部の映像は、超小型カメラに備える表示部に表示される映像であることを特徴とする。
【００１４】
請求項４は、請求項３記載のカメラ付き歯周診察処置具において、前記超小型カメラに備える表示部に表示される映像は、等倍あるいは等倍乃至所要の拡大倍率による拡大映像であることを特徴とする。
【００１５】
請求項５は、歯周診察処置具に備える診察または処置具に超小型カメラを添設するとともに当該診察または処置具による歯周部の診察または処置部にエアを噴出するエア噴出手段を添設することにより構成したことを特徴とする。
【００１６】
請求項６は、歯周診察処置具に備える診察または処置具に超小型カメラを添設するとともに当該診察または処置具による歯周部の診察または処置部を照明する照光手段を添設することにより構成したことを特徴とする。
【００１７】
請求項７は、歯周診察処置具に備える診察または処置具に超小型カメラを添設するとともに当該診察または処置具による歯周部の診察または処置部を照明する照光手段を添設し、さらに前記歯周部の診察または処置部にエアを噴射するエア噴射手段を添設することにより構成したことを特徴とする。
【００１８】
請求項８は、請求項１，２，５〜７記載のカメラ付き歯周診察処置具において、前記超小型カメラは、カメラユニットまたはカラーカメラモジュールを使用することにより構成したことを特徴とする。
【００１９】
請求項９は、請求項１，２，５〜７記載のカメラ付き歯周診察処置具において、前記超小型カメラによる歯周部の診察または処置部の映像上の視野の拡大率は等倍あるいは等倍乃至所要の拡大率まで拡大することができるように構成したことを特徴とする。
【００２０】
請求項１０は、請求項１，２，５〜７記載のカメラ付き歯周診察処置具において、前記歯周診察処置具に備える診察具は、歯科用探針または歯周ポケット探針の探針（作業部）であることを特徴とする。
【００２１】
請求項１１は、請求項１，２，５〜７記載のカメラ付き歯周診察処置具において、前記歯周診察処置具に備える処置具は、歯科用スケーラのスケーラ部または歯科用貼薬針の貼薬針であることを特徴とする。
【００２２】
請求項１２は、歯周診察処置具に備える診察具に超小型カメラを添設するとともに前記診察具を光照射部材にて形成し、さらに当該診察具自体を発光するための照明手段を備えることにより前記歯周診察処置具の診察具による歯周部の診察を、前記診察具自体の発光による照射にて診察部位を直接照射しつつ前記超小型カメラによる映像を介して診察することができるように構成したことを特徴とする。
【００２３】
請求項１３は、歯周診察処置具に備える診察具に超小型カメラを添設するとともに前記診察具による歯周部の診察部にエアを噴出するエア噴出手段を添設し、かつ前記診察具を光照射部材にて形成し、さらに当該診察具自体を発光するための照明手段を備えることにより前記歯周診察処置具の診察具による歯周部の診察を、前記エア噴出と前記診察具自体の発光による照射にて診察部位を直接照射しつつ前記超小型カメラによる映像を介して診察することができるように構成したことを特徴とする。
【００２４】
請求項１４は、請求項１２または１３記載のカメラ付き歯周診察処置具において、前記超小型カメラは、カメラユニットまたはカラーカメラモジュールを使用することにより構成したことを特徴とする。
【００２５】
請求項１５は、請求項１２または１３記載のカメラ付き歯周診察処置具において、前記歯周診察処置具に備える診察具は、歯科用探針または歯周ポケット探針の探針（作業部）であることを特徴とする。
【００２６】
請求項１６は、請求項１２〜１５記載のカメラ付き歯周診察処置具において、前記超小型カメラによる歯周部の診察または処置部の映像上の視野の拡大率は等倍あるいは等倍乃至所要の拡大率まで拡大することができるように構成したことを特徴とする。
【発明の効果】
【００２７】
本発明によれば、見ることが難しい歯周ポケット内を含めた歯周の診察または処置に当たり、歯周診察あるいは処置部の等倍から拡大した映像を介して診察または処置することができ、歯周部の診察あるいは処置の作業性と的確性を向上することができる。
【００２８】
特に請求項５，７によれば、エア噴射手段によるエアーブローにて診察あるいは処置部を開口状態にて診察あるいは処置を遂行することができる利点を有するものである。
【図面の簡単な説明】
【００２９】
【図１】図１は、本発明のカメラ付き歯周診察処置具の実施例１を示す一部縦断側面図である。
【図２】図２（ａ）、（ｂ）は、超小型カメラの要部の拡大側面および正面図である。
【図３】図３（ａ）、（ｂ）は、本発明のカメラ付き歯周診察処置具の実施例２を示すカラーカメラモジュールの拡大側面および正面図である。
【図４】図４は、光学素子の接続回路の説明図である。
【図５】図５は、撮像手段のブロック図である。
【図６】図６は、本発明のカメラ付き歯周診察処置具の実施例３を示す斜視図である。
【図７】図７は、本発明のカメラ付き歯周診察処置具の実施例４を示す要部側面図である。
【図８】図８（ａ）、（ｂ）は、本発明のカメラ付き歯周診察処置具の実施例５を示す要部側面図である。
【図９】９図は、エア噴射手段の回路ブロック図である。
【図１０】図１０は、エア噴射手段の回路ブロック図である。
【図１１】図１１は、エア噴射手段の回路ブロック図である。
【図１２】図１２は、エア噴射手段の回路ブロック図である。
【図１３】図１３は、本発明のカメラ付き歯周診察処置具の実施例６を示す要部側断面図である。
【図１４】図１４は、本発明のカメラ付き歯周診察処置具の実施例７を示す要部側断面図である。
【図１５】図１５は、本発明のカメラ付き歯周診察処置具の実施例８を示す要部側断面図である。
【図１６】図１６は、本発明のカメラ付き歯周診察処置具の実施例８を示すブロック図である。
【図１７】図１７は、本発明のカメラ付き歯周診察処置具の実施例９を示す要部側断面図である。
【図１８】図１８は、本発明のカメラ付き歯周診察処置具の実施例１０を示す要部側断面図である。
【図１９】図１９は、本発明のカメラ付き歯周診察処置具の実施例１１を示す斜視図である。
【発明を実施するための形態】
【００３０】
本発明は、歯周診察あるいは処置について使用する診察具あるいは処置具自体に歯周部位の映像を取得するための超小型カメラを添設することにより、目的とする歯周に対する診察あるいは処置部位を目視に頼らずに超小型カメラによる映像にて確認しつつ診察あるいは処置を実施することができるようにしたものである。
【実施例１】
【００３１】
図１は本発明カメラ付き歯周診察処置具の実施例１を示すもので、歯科用探針すなわち、歯科診療で触診等に用いる手持型のプローブに適用した場合を示すものである。
当該プローブ１は、グリップ部２の先端に探針部３を設けることにより形成されている。
【００３２】
尚、探深部３はグリップ部２の先端部２ｂに設けた装着部１５にその装着部３ａを着脱自在に取り付けることにより構成することができる。
【００３３】
そして、探針部３については、歯のう蝕や歯石の付着状態などを触知する用途に応じ、その先端の細い作業部分を鉤型、鈍的形状のものとして形成するものである。
【００３４】
また、当該探針部３には、探針部３の先端より約１０ｍｍ近辺に位置せしめて超小型カメラ４を添設してある。
この超小型カメラ４としては、図２（ａ）、（ｂ）に示すカメラユニット４０により構成されている。
【００３５】
前記カメラユニット４０について、図２（ａ）、（ｂ）を参照して詳述する。
前記カメラユニット４０は、例えば直径１．２ｍｍ、内径約１．１ｍｍ、長さ３ｍｍの円筒状の支持筒４２と、この支持筒４２の一方の端面に光入射端を臨ませて配置した直径Φ１＝１．１ｍｍの集光レンズユニット４３と、支持筒４２内に前記集光レンズユニット４３に対して一定の間隔を隔て対向配置した撮像部４４と、前記支持筒４２の他方の端面側から支持筒４２内に至る範囲に嵌着したカバー部材４５と、前記撮像部４４に接続されるとともにカバー部材４５を貫いて後方側に導出した信号ケーブル４６とを有している。
【００３６】
前記撮像部４４は、支持筒４２内において中心を前記集光レンズユニット４３の光軸に一致させた状態で固着した直径１．１ｍｍの円板状の支持基板４７と、外形寸法０．８４×０．７４ｍｍ、厚さ０．１ｍｍのセンサ基板４８ａの表面に画素数３２０×２４０ピクセルとなるようにカラー画素を配列し、中心部が前記集光レンズユニット４３の光軸に一致する状態で取り付けたカラーイメージセンサ（ＣＭＯＳ：Complementary Metal Oxide Semiconductor）４８とを具備し、前記信号ケーブル４６の一端側を前記カラーイメージセンサ４８に接続し、他端側を支持基板４７、カバー部材４５を貫いて後方側に導出している。
【００３７】
そして、前記超小型カメラ４としての前記カメラユニット４０は、前記リップ部２に設けたコネクタ９に対して、前記信号ケーブル４６の接続端部４６ａをコネクタ接続部１０に着脱自在に装着することにより、前記グリップ部２の中空部１１を介して内蔵される接続ケーブル１２に電気的に接続され、かつグリップ部２の後端部２ａに設けた接続部１４に電気的に接続した外部信号ケーブル１３に電気的に接続することができるように構成されている。
【００３８】
そして、前記外部信号ケーブル１３の接続端部１３ａはグリップ部２の前記後端部２ａに設けた接続部１４に対して、着脱自在に接続することができるように構成されている。
【００３９】
そして、前記超小型カメラ４としてのカメラユニット４０による映像は、外部信号ケーブル１３を介して表示部（図示しない）、例えばテレビ受像器等にて表示することができるように構成されている。
また、表示部における歯周部の診察部位の映像については、超小型カメラ４としてのカメラユニット４０による映像上の視野の拡大率により、自由に選択しつつ表示することが可能で、等倍による表示に加えて必要に応じて等倍以上の所要の倍率による拡大した映像を表示することができるように構成するものである。
【００４０】
尚、カメラユニット４０による診察部位の撮像手段については、後述の実施例２の駆動制御ユニット（図５）の構成等の手段による撮像が可能であるが、その際の診察部位の照明手段については、実施例２のカメラモジュール２１の構成の発光素子２４による照明手段あるいは、後述の実施例４の照明用ファイバー７０による照明手段を介して診察部位を照明しつつ実施するが、これ以外に従来の歯周診察処置の際に使用するライト等（例えば無影灯）による照明手段を使用しつつ実施することが可能である。
【００４１】
尚、図１のプローブ１の探針部３については、これをグリップ部２の先端部２ｂに固着する構成に換えて図１の点線で示すように、探針部３の取り付け部３ａをグリップ部２の先端部２ｂに設けた装着部１５に対して着脱自在に装着することにより構成することもできる。
【実施例２】
【００４２】
図３（ａ）、（ｂ）は、前記実施例１のプローブ１における超小型カメラ４としてのカメラユニット４０について、前記集光レンズユニット４３を、例えば視野角７０度、フォーカスレンジ３−５０ｍｍの光学特性を有するものを採用するとともに前記カメラユニット４０の端面の回りに発光素子２４を配置し、かつその発光素子２４には、発光素子用ケーブル２５の一端が接続され、この発光素子用ケーブル２５は前記信号ケーブル４６とともにカメラケーブル２３内に収納されて前記グリップ部２のコネクタ９に前記接続端部４６ａを含む接続端部２３ａを接続部１０に接続することにより構成したカラーカメラモジュール２１を使用するプローブ１の実施例を示すものである。
【００４３】
そこで前記発光素子用ケーブル２５と信号ケーブル４６を含むカメラケーブル２３は、グリップ部２の接続ケーブル１２を介して外部ケーブル１３によりプローブ１の外部に取り出して後述する駆動制御ユニット６１に対してカメラユニット４０の映像を伝送し、また、駆動制御ユニット６１から供給される発光素子駆動電力をグリップ部２に導入した発光素子駆動ケーブル５２から前記発光素子用ケーブル２５に接点部を経て供給する構成を採用することができる。
【００４４】
図４は、前記発光素子２４の駆動回路を示すものであり、例えば８個の発光素子２４を並列接続し、発光素子電源部６３から前記発光素子用ケーブル２５を経て供給される直流電圧を各発光素子２４のアノード、カソード間に引加し、これらを点灯駆動するように構成している。
【００４５】
次に、図５を参照して前記駆動制御ユニット６１の概略構成について説明する。
前記駆動制御ユニット６１は、前記プローブ１全体の動作制御を行う制御部６２と、各発光素子２４に駆動電圧（例えばＤＣ３．３Ｖ）を供給する発光素子電源部６３と、前記カメラユニット４０からの画像信号を受信する画像信号受信部６４と、受信した画像信号に基づき所要の診療部のカラー画像を生成するカラー画像生成部６５と、生成したカラー画像を記憶する画像記憶部６６と、前記プローブ１の動作に必要な各種操作ボタン等を搭載した操作パネル６７と、を有している。
【００４６】
さらに、本実施例２のプローブ１は、前記カメラユニット４０により撮像し、カラー画像生成部６５により生成したカラー画像を画面表示するカラー液晶ディスプレイ等からなるカラー画像表示部６８を備えている。
また、当該カラー画像表示部６８に表示するカメラユニット４０による映像については、歯周部位の診察部位の映像をそのままの等倍の表示に加えてこれを映像視野上の必要部位のみを拡大して表示したり、あるいは必要な倍率による拡大映像を表示することができるように制御部６２によって制御しつつ実施することができるように構成する。
【００４７】
尚、あらかじめ拡大率を選定した映像、段階的な倍率の拡大映像や、診察の必要に応じた拡大映像あるいは必要部位の拡大映像を表示しつつ実施することができるように構成することが可能である。
また、前記カラー画像生成部６５については、これを必要に応じてカラー画像以外の白黒画像を生成する画像生成部による実施も勿論可能である。
【００４８】
以上の実施例１，２のプローブ１によれば、探針部３による所要の診療を、診療部を目視に加えて超小型カメラ４を介する表示部６８の映像によって確認しつつ遂行することが可能となる。
すなわち、超小型カメラ４で歯周ポケットの近くから直接ポケット内を映像で見られるため、これまでは診察できなかった歯周軟組織内面や歯根面の病変を詳細に観察可能となり、各部、全体の充血、出血、炎症、変色などの病変の有無やその進行の様子を映像で正確に観察して適正な診断が可能となる。
【００４９】
また、従来のカメラ無しプローブ１の探深部３による歯周ポケット深さの測定に際して、誤って歯石や異物などを底として測ってしまう誤りがあったが、この様な誤りを未然に防ぐことが可能となる。
【実施例３】
【００５０】
図６は、本発明のカメラ付き歯周診療処置具の実施例３を示すもので、前記実施例１，２のプローブ１の構成における前記グリップ部２内の接続ケーブル１２と外部信号ケーブル１３を介する接続構成に換えて、グリップ部２の外側に前記超小型カメラ４としてのカメラユニット４０あるいはカラーカメラモジュール２１を探針部３とグリップ部２の外側に添設することにより構成した場合を示すものである。
尚、図中６０はプローブ、５９は結束バンドを示すものである。
【実施例４】
【００５１】
図７は、本発明のカメラ付き歯周診察処置具の実施例４を示すもので、前記実施例１のプローブ１における超小型カメラ４のカメラユニット４０に必要な照明手段となる照明用ファイバー７０を添設することにより構成したものである。
そして、図中の７１は照明用ファイバー７０としてのロッドファイバーで、このロッドファイバー７１は、カメラユニット４０の信号ケーブル４６とともに結束された元管ケーブル７２を介して、当該元管ケーブル７２の接続端部７２ａを前記グリップ部２のコネクタ９に対してコネクタ接続部１０に接続され、かつ前記グリップ部２の接続ケーブル１２により外部ケーブル１３に接続されるとともに照明用ロッドファイバー７１に対する発光素子（図示しない）の図示しない駆動電圧を介して前記図５の駆動制御ユニット６１の発光素子電源部６３および画像信号受信部６４にそれぞれ接続することにより構成し、前記実施例２と同様に診療部位の映像を確認しつつ所要の診察を実施することができる。
尚、図中の元管ケーブル７２は、信号ケーブル４６用の分岐管７３とロッドファイバー７１の光束射出端７１ａの分岐管７４とに分岐することにより構成されている。
【実施例５】
【００５２】
図８（ａ）、（ｂ）は、本発明のカメラ付き歯周診察処置具の実施例５を示すもので実施例１のプローブ１において、特に歯牙とその周囲の歯肉との間に生じる歯周ポケットの深さを、患者に苦痛を与えることなく測定し、更に歯周ポケット内における歯根面の歯石や異物の存在、及びその付着位置を確認するという目的を、プローブの探針部にエア噴射ノズルを添設、あるいは探針自身を中空に形成してそれぞれの先端に有する噴射口から体温に近似した温度に加熱したエアを歯周ポケット内に噴射することができるように構成し、患者に苦痛を与えないで歯周ポケットを広げ、歯周ポケット内を診断することを実現せんとするものである。
【００５３】
図８（ａ）に示す本実施例５のプローブ１は、探針部３にエア噴射手段５０としてのエア噴射ノズル５１を添設することにより構成する。そして前記エア噴射ノズル５１は、先端にエア噴射口５２を有するとともに探針部３の先端方向に添って曲折される分岐管５３はカメラユニット４０の信号ケーブル４６の分岐管５４とともに元管ケーブル５５に接続され、元管ケーブル５５の後端接続部５５ａが前記グリップ部２のコネクタ接続部１０を介してコネクタ９に接続される。
また、図８（ｂ）に示すようにグリップ部２の後端部２ａには圧縮空気源５７のエア供給管路７から圧縮空気を供給するエアチューブ５６が接続部５８を介して接続されている。
【００５４】
また、プローブ１の撮像手段としてのカメラユニット４０の信号ケーブルについては、前記エア噴射手段５０のエア供給管路７の中空部分を介して配線することができる。
すなわち、外部信号ケーブル１３はエアチューブ５６，接続ケーブル１２はエア供給管路７としてのグリップ部２の中空部１１に内蔵される接続ケーブル１２，信号ケーブル４６は元管ケーブル５５をそれぞれの中空部を介して配線することができる。
尚、配線した信号ケーブルによりエア供給に支障をきたすことがないように構成することは当然である。
【００５５】
探針部３の曲折形状は基本的には１種類であるが、仮に多種類の形状であっても分岐管５３は探針部先端方向に添わせ、かつエア噴射口５２の位置を探針部３の先端よりやや上方、例えば５ 〜１０ｍｍ上方に位置するように設定することにより探針部３に添ってエアを噴射するコアンダ効果（物体表面に添って流体が流れる現象）が得られる。
【００５６】
またプローブ１に接続された圧縮空気源５７のエア供給管路７は図９に示すように、空気圧源５７から供給される圧縮空気が手動弁８６を開くことにより圧力制御弁８７に送られ、所望の圧力に制御され、その圧力は圧力計８８に表示される。更にエア噴射のＯＮ、ＯＦＦ制御用フットスイッチ８９の開閉によりエアはその先の流量制御コック９０にて流量が制御され、その流量が流量計９１に表示される。そしてこの構成の圧縮空気源５７からのエア供給管路７はグリップ部２の後端部２ａの接続部５８を介してプローブ１に接続されている。プローブ１の先方には探針部３が設けられ、探針部３の先端方向に添って前記エア噴射ノズル５１としての分岐管５３が設けられている。
更に分岐管５３にはエアの流量制御機構としてエアを逃がす開口部９３が設けられていて、圧縮空気をエア噴射ノズル５１のエア噴射口５２から噴射する圧力が異常圧にならないようにこの開口部９３にて異常圧を逃がす構成になっている。
【００５７】
例えば、エア噴射口５３が歯肉などの軟組織に接触し、または埋没してエア噴射口５３が閉ざされ、エア供給管路７内が異常圧になったとしても開口部９３にて異常圧が開放され歯周ポケット内には異常圧のエアが噴射されない。これにより軟組織内の気泡発生が防止することができる。なお開口部９３の形状は円形に限らず楕円やその他の形状でもよく、その面積はエア噴射口５２の面積に近似した値とすることが好ましい。なお開口部９３の面積はエア噴射口５２の面積より小さいとエアの放出量が減少し過ぎ、大きいと放出量が増大し過ぎる。また開口部９３の面積がエア噴射口５２の面積に近似していれば、通常のエア噴射中において開口部９３からエアが漏れても漏れ量は微小であるので正常圧の噴射に支障はない。    
【００５８】
図１０は、図９において圧縮空気源エア供給管路７にフットスイッチ８９を設けたことに替えてプローブ１のグリップ部２にハンドスイッチ９４を設けた例である。その他の構成は前記図９と同様であり、同様な効果を奏することができる。
図１１は、図９において分岐管５３に開口部９３を設けたことに替えて、圧縮空気源５７のエア供給管路７に圧力制御機構として安全弁９５を設けた例である。その他の構成は図１０と同様であり、同様な効果を奏することができる。
【００５９】
図１２は、図１１において圧縮空気源エア供給管路７にフットスイッチ８９を設けたことに替えてハンドスイッチ９６をプローブ１のグリップ部２に設けた例であり、その他の構成は前記図１１の構成と同様であり、同様な効果を奏することができる。
更に、上記に加えて、供給エアを体温に近似した温度に加熱する図示しない過熱制御機構を設けて、加熱されたエアを歯周ポケットに噴射する。
【００６０】
以上に述べたプローブ１は、探針部３に添ってエアを噴射するエア噴射ノズル５１を設けたことで、探針部３に添ってエアが噴射され、噴射されたエアは歯牙側面に沿って流れるコアンダ効果が得られるために、噴射エアにて歯周ポケットを開くこが可能になる。すなわちエアブローで開口したポケット内の歯石や異物を映像で確認しながらこれらを避けてプローブ１を底まで挿入できるのでポケット深さの誤測定防止が可能である。
更に流量制御機構にて噴射エアの圧を制御し、また噴射エアの温度を体温に近似した温度に制御して噴射することにより、診療時に温度差による違和感や疼痛を与えることなく歯周ポケットの深さを測定し、更に歯周ポケット内における歯根面の歯石や異物の存在、及びその付着位置を前記映像を介しつつ確認することが可能となる。
【実施例６】
【００６１】
図１３は、本発明のカメラ付き歯周診察処置具の実施例６を示し、前記実施例１のプローブ１において、超小型カメラ４としてのカメラユニット４０に対する照明手段を探針部３自体を光照射部材、例えば光透過が可能なポリカーボネート等の合成樹脂部材料にて形成するとともにグリップ部２の先端部２ｂには、探針部３のグリップ部２の装着部１５と装着部３ａの装着端３ｂに対向せしめて光照射手段、例えばＬＥＤ４９等を配設することにより構成したものである。
【００６２】
尚、光照射手段としてのＬＥＤ４９の電源部（図示しない）との接続ケーブル４９ａは、グリップ部２の中空部１１を介して外部の電源部に接続することができるように構成する。
その他の構成は、図１のプローブ１と同様の構成からなりその説明は省略し、図中の同一構成部分については図１と同一番号を付し説明は省略する。
【００６３】
そして、従来と通常のプローブ１の使用において探針部３による歯周部の診察には、探針部３自体の照明手段を介して歯周診察部位を照射しつつ超小型カメラ４としてのカメラユニット４０による同部位の表示部における映像を確認しながら診察を実施することができる。
【００６４】
さらに当該実施例６は、実施例１のプローブ１に対する図１において説明したが、実施例５（図８）のプローブ１の探針部３について当該実施例を適用した実施も可能であるが、かかる実施例５に適用した図示による説明は省略するが当該実施例の作用効果を実施例５のプローブ１における作用効果に加えた実施が可能である。
【実施例７】
【００６５】
図１４は、本発明のカメラ付き歯周診察処置具の実施例７を示し、前記実施例６のプローブ１について、実施例４のプローブ１における照明手段としての照明用ファーバー７０を添設すると同時に実施例５のプローブ１におけるエアー噴出手段５０としてのエア噴射ノズル（分岐管５３）５１を添設することにより構成したものである。
【００６６】
すなわち、図１４のプローブ１の要部において実施例５のプローブ１の構成をそのまま具備することに加えて実施例４の照明用ファイバー７０を添設した実施例を具備するもので元管ケーブル５５および分岐管５４中およびグリップ部２の後端部２ａの接続部５８に接続されるエアーチューブ５６並びにグリップ部２の中空部１１を介して装入配設される照明用ファイバー７０のロッドファイバー７１の光束射出端７１ａを探針部３のカメラユニット４０の添設配置との対応位置に添設することにより構成したものである。
【００６７】
よって、当該実施例７は前記実施例４，５の構成を併せて備えたプローブ１であって、図１４はその要部のみを示し、その他の構成については実施例４，５の図７〜１２の構成を具備するもので図と説明は省略する。
当該実施例７のカメラ付き歯周診察処置具のプローブ１によれば、実施例４，５の構成における作用効果による実施が可能である。
【実施例８】
【００６８】
図１５，１６は、本発明のカメラ付き歯周診察処置具としてのプローブ１における撮像手段についての実施例８を示すものである。
【００６９】
次に、図１５、図１６を参照して、前述してきた各実施例のカメラ付き歯周診察処置具としてのプローブ１のカメラユニット４０の撮像手段について説明する。
この実施例においては、プローブ１におけるグリップ部２の後部内に図１５に示すような前記カメラユニット４０の信号出力ケーブル３６に接続した例えばブルートゥス（Ｂｌｕｔｏｏｔｈ）規格（無線による通信プロトコルの一つ）の送信側のトランスミッター６９ａを内蔵し、また前記駆動制御ユニット６１に例えばブルートゥス規格の受信側のトランスミッター６９ｂを付加した構成とし、前記カメラユニット４０により撮像した診察部のカラー画像信号を前記トランスミッター６９ａから前記トランスミッター６９ｂに無線送信する構成としたものである。
【００７０】
前記駆動制御ユニット６１としては、プローブ１が接続されるコントロールユニットまたはブルートゥス規格のコンピュータ等の例を挙げることができる。
図１５、図１６の実施によれば、前記送信側のトランスミッター６９ａの駆動電圧として、前記発光素子２４（例えば駆動電圧ＤＣ３．３Ｖ）の駆動電圧と等しい仕様のものを採用することにより、発光素子駆動ケーブル６３ａの２本の電線を利用して送信側のトランスミッター６９ａの電源配線を行うことができ、送信側のトランスミッター６９ａ専用のケーブル配線を行う必要がなくなり、配線数の省略を図れるとともに、ケーブル断線という不都合な事態の発生を低減することができる。
【実施例９】
【００７１】
図１７は、本発明のカメラ付き歯周診察処置具の実施例９を示すものである。
そして、これまでの実施例１〜８については本発明カメラ付き歯周診察処置具につき歯周診察処置のプローブについて適用した実施例を説明したのであるが、これを歯科用スケーラ、すなわち口腔内清掃および歯周治療時に歯の表面から歯石等の沈着物を除去するために用いる歯科手用器具としての歯科用スケーラに適用した実施例について説明する。
【００７２】
図１７に図示する歯科用スケーラ３０は、実施例１の探針部３に替えて、グリップ部２の先端部２ｂにスケーラチップ部３１を設けるとともに当該スケーラチップ部３１に超小型カメラ４としてのカメラユニット４０を添設することにより構成したものである。
尚、スケーラチップ部３１の取付部３１ａをグリップ部２の先端部２ｂに固着する場合に加えてグリップ部２の先端部２ｂの装着部１５に着脱自在に取り付けることも可能である。
そして、その他の構成は実施例１のプローブ１と同様の構成からなり、同一構成部分については同一番号を付しその説明を省略する。
【００７３】
尚、カメラユニット４０をスケーラチップ部３１に添設するに当たっては、歯科用スケーラ３０による歯周治療時の処置に支障をきたすことがないように、例えばスケーラチップ部３１の先端より１０ｍｍ近辺に位置せしめて配設するとともに、超小型カメラ４としてのカメラユニット４０の画角の中にスケーラチップ部３１の先端が映像として望まれる角度（例えば４５°、９０°等）にカメラユニット４０を配設しつつ添設することが好適である。
【００７４】
よって、実施例１のプローブ１と同様に歯科用スケーラ３０を使用して歯周治療を行う際には、超小型カメラ４としてのカメラユニット４０による映像を介して治療部位を確認しつつ処置することができる。
【００７５】
尚、カメラユニット４０による映像については実施例１のプローブ１による撮像手段と同様で、治療部位の照明手段についても、同様の方法により実施するもので、プローブ１の実施と同様である。
また、図１７のグリップ部２の後端部２ａの構成については、図１と同一であるので説明を省略する。
さらに、実施例２のカメラモジュール２１による実施についても図３〜図５による構成にて同様の実施が可能でその具体的な説明および図示を省略し、加えて実施例３の図６に図示のプローブ１に替えてこれを歯科用スケーラ（図示しない）を適用した同様の実施が可能であるが詳細な説明と図示は省略する。
【実施例１０】
【００７６】
図１８は、本発明のカメラ付き歯周診察処置具の実施例１０を示すものである。
前記実施例９においては、実施例１〜３のプローブ１に替えて歯科用スケーラ３０を適用した実施例を説明したのであるが、当該実施例１０は前記プローブ１に対する実施例５の超小型カメラ４としてのカメラユニット４０とエア噴射手段５０を添設した実施例（図８〜１２に図示の実施例）、実施例７の超小型カメラ４としてのカメラユニット４０と照明手段７０を添設した実施例（図１４に図示の実施例）、さらには実施例８の映像手段を適用した実施例を示すものである。
【００７７】
尚、図１８については前記実施例７のプローブ１の探針部３に対して超小型カメラ４としてのカメラユニット４０とエア噴射手段５０および照明手段７０を添設した実施例７に替えてスケーラチップ部３１に対してこれらのカメラユニット４０，エア噴射手段５０および照明手段７０を添設した歯科用スケーラ３０を示す実施例を図示するものである。
【００７８】
従って、各部構成はそれらの実施例を示す符号を同一構成部分に付したもので、プローブ１の構成以外の構成説明は省略する。
【００７９】
当該実施例１０の図１８に図示する歯科用スケーラ３０により前記プローブ１の実施例７の作用効果による実施が可能で、歯科用スケーラ３０による前記実施例９と同様の歯周部位の処置が実施できる。
【００８０】
すなわち、歯科用スケーラ３０による本来の口腔内清掃および歯周治療時に当たる歯の表面から歯石等の沈着物を除去する際に、その歯周治療部位の映像を確認しつつ処置することができ、作業性と的確性を向上することができる。
また、必要に応じてエア噴射手段７０によりエア噴射ノズル５１のエア噴射口５２からエアブローを噴射しつつ必要な処置を実施することが可能である。
【００８１】
さて、図１８の歯科用スケーラ３０の構成において、スケーラチップ部３１に超小型カメラ４としてのカメラユニット４０を添設するとともに当該カメラユニット４０の照明用として照明手段７０を添設した前記プローブ１に対する実施例４（図７に図示）の構成による実施が可能である。尚、当該実施例の具体的な図示と説明は省略する。
【００８２】
そして、超小型カメラ４としてのカメラユニット４０あるいはカメラモジュール２１を添設することに加えてエア噴射手段５０を添設した実施例５（図８〜１２に図示）の実施例も必要に応じて実施することが可能であるが具体的な図示と説明は省力する。さらに、図１８のスケーラチップ部３１が超音波スケーラやエアスケーラ（図示しない）による実施も可能である。
【００８３】
そして、カメラユニット４０による撮像手段については、前記プローブ１の実施例８（図１５，１６に図示）の撮像手段による実施が可能でこの実施例についても具体的な図示と説明は省略する。
【実施例１１】
【００８４】
図１９は、本発明のカメラ付き歯周診察処置具の実施例１１を示すものである。
当該実施例１１は、前記プローブ１の実施例３（図６に図示）に対応する実施例で、特に超音波スケーラあるいはエアスケーラによる歯科用スケーラ３２に適用した場合を示すものである。
【００８５】
尚、図中４、４０および２１については前記プローブ１に添設した超小型カメラ４，カメラユニット４０あるいはカラーカメラモジュール２１をそれぞれ示し、具体的な説明は前記プローブ１における実施例と同様であるので具体的な図示と説明は省略する。
また、３３はスケーラチップ部３１およびエア噴射手段５０、カメラユニット４０あるいはカラーカメラモジュール２１の制御手段としてのコントローラを示すものである。
【００８６】
以上の実施例１〜１１は、本発明のカメラ付き歯周診察処置具としてプローブおよび歯科用スケーラに適用した場合について説明してきたのであるが、これ以外に歯科用貼薬針（歯周ポケット内の貼薬を行う器具）等に対する実施例も可能である。
また、本発明のカメラ付き歯周診察処置具における歯周部の診察または処置部の映像を介する診察または処置に際する超小型カメラについては、その視野角内に、探針先端部、スケーラチップ先端部、若しくは貼薬針先端部を患部と一緒に撮影し、表示部に表示することが望ましいが、患部のみを表示できるようにカメラを配置しつつ添設したり、視野角を定めつつ実施することができる。
【符号の説明】
【００８７】
１      プローブ
２      グリップ部
２ａ    グリップ部後端部
２ｂ    グリップ部先端部
３      探針部
３ａ    装着部
３ｂ    装着端
４      超小型カメラ
７      エア供給管路
９      コネクタ
１０    コネクタ接続部
１１    中空部
１２    接続ケーブル
１３    外部信号ケーブル
１３ａ  接続端部
１４    接続部
１５    装着部
２１    カラーカメラモジュール
２３    カメラケーブル
２４    発光素子
２５    発光素子用ケーブル
３０    歯科用スケーラ
３１    スケーラチップ部
３１ａ  取付部
３２    歯科用スケーラ
３３    コントローラ
４０    カメラユニット
４２    支持筒
４３    集光レンズユニット
４４    撮像部
４５    カバー部材
４６    信号ケーブル
４６ａ  接続端部
４７    支持基板
４８    カラーイメージセンサ
４９    ＬＥＤ
４９ａ  接続ケーブル
５０    エア噴射手段
５１    エア噴射ノズル
５２    エア噴射口
５３    分岐管
５４    分岐管
５５    元管ケーブル
５５ａ  後端接続部
５６    エアチューブ
５７    圧縮空気源
５８    接続部
５９    結束バンド
６０    プローブ
６１    駆動制御ユニット
６２    制御部
６３    発光素子電源部
６３ａ  発光素子駆動ケーブル
６４    画像信号受信部
６５    カラー画像生成部
６６    画像記憶部
６７    操作パネル
６８    カラー画像表示部
６９ａ  トランスミッター
６９ｂ  トランスミッター
７０    照明用ファイバー
７１    ロッドファイバー
７２    元管ケーブル
７２ａ  接続端部
８６    手動弁
８７    圧力制御弁
８８    圧力計
８９    フットスイッチ
９０    流量制御コック
９１    流量計
９３    開口部
９４    ハンドスイッチ
９５    安全弁
９６    ハンドスイッチ
【図１】
2014128340.tif 000003
【図２】
2014128340.tif 000004
【図３】
2014128340.tif 000005
【図４】
2014128340.tif 000006
【図５】
2014128340.tif 000007
【図６】
2014128340.tif 000008
【図７】
2014128340.tif 000009
【図８】
2014128340.tif 000010
【図９】
2014128340.tif 000011
【図１０】
2014128340.tif 000012
【図１１】
2014128340.tif 000013
【図１２】
2014128340.tif 000014
【図１３】
2014128340.tif 000015
【図１４】
2014128340.tif 000016
【図１５】
2014128340.tif 000017
【図１６】
2014128340.tif 000018
【図１７】
2014128340.tif 000019
【図１８】
2014128340.tif 000020
【図１９】
2014128340.tif 000021